【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  ＭＲＩコイル組立体であって，
ベース，前記ベースの第１の側部から前記ベースより上にそれを覆って延びる第１及び第２のアーム部材，前記ベースの第２の側部から前記ベースより上にそれを覆って延びる第３及び第４のアーム部材，前記第１のアーム部材と前記第２のアーム部材の間に延びる第１のクロス部材，及び前記第３のアーム部材と前記第４のアーム部材の間に延びる第２のクロス部材を含み，前記第１のアーム部材は前記第３のアーム部材と整列しかつこれに取外し可能に接続され，また前記第２のアーム部材は前記第４のアーム部材と整列しかつこれに取外し可能に接続されたハーネスと，
前記ベースに沿って延びる共通セグメント，前記共通セグメントから延び，前記第１のアーム部材に沿い前記第１のクロス部材に達しこれに沿い，そして前記第２のアーム部材に沿い前記共通セグメントに戻る第１の翼部材，及び前記共通セグメントから延び，前記第３のアーム部材に沿い前記第２のクロス部材に達しこれに沿い，そして前記第４のアーム部材に沿い前記共通セグメントに戻る第２の翼部材を含み，前記ハーネスに沿って延びる第１のコイル部材と，
前記ハーネスに沿って延び，少なくとも第１及び第２のループを含み，前記第１のループはほぼ前記第１のアーム部材と前記第３のアーム部材に沿って延び，前記第２のループはほぼ前記第２のアーム部材と前記第４のアーム部材に沿って延び，前記第１及び第２のループは電気的に接続される第２のコイル部材と，を包含するＭＲＩコイル組立体。
【請求項２】  請求項１に記載のＭＲＩコイル組立体であって，前記第１及び第２のアーム部材は，実質的に相互に平行であり，また前記第３及び第４のアーム部材は，実質的に相互に平行であるＭＲＩコイル組立体。
【請求項３】  請求項１に記載のＭＲＩコイル組立体であって，前記第１及び第２のクロス部材は実質的に相互に平行に延びるＭＲＩコイル組立体。
【請求項４】  請求項１に記載のＭＲＩコイル組立体であって，前記の第２のコイル部材の第１のループは，前記第１のアーム部材に沿って延びる第１のセグメントと前記第３のアーム部材に沿って延びる第２のセグメントにより形成され，前記組立体は更に前記第１及び第２のセグメントを電気的に接続するため前記第１及び第３のアーム部材の端部にそれぞれ置かれる第１及び第２の嵌合電気的コネクタを含むＭＲＩコイル組立体。
【請求項５】  請求項４に記載のＭＲＩコイル組立体であって，前記の第２コイル部材の第２のループは，前記第２のアーム部材に沿って延びる第３のセグメントと前記第４のアーム部材に沿って延びる第４のセグメントにより形成され，前記組立体は更に前記第３及び第４のセグメントを電気的に接続するため前記第１及び第３のアーム部材の端部にそれぞれ置かれる第３及び第４の嵌合電気的コネクタを含むＭＲＩコイル組立体。
【請求項６】  請求項１に記載のＭＲＩコイル組立体であって，前記の第１コイル部材はサドルコイルを含み，また前記の第２コイル部材はソレノイドコイルを含むＭＲＩコイル組立体。
【請求項７】  請求項１に記載のＭＲＩコイル組立体であって，第１，２，３，及び第４のアーム部材は柔軟性であるＭＲＩコイル組立体。
【請求項８】  請求項１に記載のＭＲＩコイル組立体であって，第１のコイル部材は出力を含み，また前記第２コイル部材は出力を含み，前記ＭＲＩコイル組立体は更に前記出力の各々に接続され，前記ハーネスから延びる少なくとも１つの導体を含むＭＲＩコイル組立体。
【請求項９】  ＭＲＩイメージングにおいて使用するためのコイル組立体であって，前記コイル組立体は，
ベース，前記ベースの第１の側部から前記ベースより上にそれを覆って延びる第１及び第２のアーム部材，前記ベースの第２の側部から前記ベースより上にそれを覆って延びる第３及び第４のアーム部材，前記第１のアーム部材と前記第２のアーム部材の間に延びる第１のクロス部材，及び前記第３のアーム部材と前記第４のアーム部材の間に延びる第２のクロス部材を含み，前記第１のアーム部材の端は前記第３のアーム部材の端と整列し，これに取外し可能に接続され，また前記第２のアーム部材の端は前記第４のアーム部材の端と整列し，これに取外し可能に接続されるハーネスと，
前記ハーネスに沿って延びる第１のコイル部材と，
前記ハーネスに沿って延びる第２のコイル部材とを包含するコイル組立体。
【請求項１０】  ＭＲＩコイル組立体であって，
縦軸，前記縦軸にほぼ直角に延びる第１の構造用ループ，前記第１の構造用ループから軸方向に離れ，前記縦軸にほぼ直角に延びる第２の構造用ループ，前記縦軸にほぼ平行に，前記第１と第２の構造用ループの間に延びる少なくとも１つのクロス棒，及び前記第１と第２の構造用ループの間に延びるベースを含むハーネスと，
前記ハーネスに沿って延びる第１のコイル部材と，
前記ハーネスに沿って延びる第２のコイル部材とを包含するＭＲＩコイル組立体。
【請求項１１】  請求項１０に記載のＭＲＩコイル組立体であって，前記第１のコイル部材は，前記ベースに沿って延びる共通セグメントと，前記共通セグメントから部分的に前記第１の構造用ループに沿いその第１の側において延び，前記少なくとも１つのクロス棒に達してそれに沿い，そして部分的に前記第２の構造用ループに沿いその第１の側において延び前記共通セグメントへ戻る第１の翼セグメントと，前記共通セグメントから部分的に前記第１の構造用ループに沿いその第２の側において延び，前記少なくとも１つのクロス棒に達してそれに沿い，そして部分的に前記第２の構造用ループに沿いその第２の側において延び前記共通セグメントへ戻る第２の翼セグメントとを含むＭＲＩコイル組立体。
【請求項１２】  請求項１０に記載のＭＲＩコイル組立体であって，前記第２のコイル部材は，前記第１の構造用ループに沿って延びる第１の導電性ループと前記第２の構造用ループに沿って延びる第２の導電性ループから成り，前記ベースの第１の側における前記第１の導電性ループの第１の側は前記ベースに沿って前記ベースの第２の側における前記第２の導電性ループの第２の側に電気的に接続され，前記ベースの第２の側における前記第１の導電性ループの第２の側は前記ベースに沿って前記ベースの第１の側における前記第２の導電性ループの第１の側に電気的に接続されるＭＲＩコイル組立体。
【請求項１３】  請求項１０に記載のＭＲＩコイル組立体であって，前記第１のコイル部材はサドルコイルであり，また前記第２のコイル部材は少なくとも２つの導電性ループを含むソレノイドコイルであり，前記ＭＲＩコイル組立体は直交コイル組立体から成るＭＲＩコイル組立体。
【請求項１４】  請求項１０に記載のＭＲＩコイル組立体であって，前記第１の構造用ループは，前記ベースの相反対の側から延びる第１及び第２の整列され取外し可能に接続されたアーム部材により形成され，また前記第２の構造用ループは前記ベースの相反対の側から延びる第３及び第４の取外し可能に接続されたアーム部材により形成されるＭＲＩコイル組立体。
【請求項１５】  請求項１０に記載のＭＲＩコイル組立体であって，前記少なくとも１つのクロス棒は前記第１と第２の構造用ループの間に延びる第１のクロス棒から成り，また第２のクロス棒は前記第１と第２の構造用ループの間に延びるＭＲＩコイル組立体。
【請求項１６】  請求項１０に記載のＭＲＩコイル組立体であって，前記第１と第２の構造用ループはその縦軸に沿って前記ハーネスの反対側端部に向かうように位置し，前記ハーネスの中央部において前記第１と第２の構造用ループの間に間隙を提供するＭＲＩコイル組立体。
【請求項１７】  請求項１に記載のＭＲＩコイル組立体であって，前記第１と第２のアーム部材は間隙を隔てて配置され，前記第３，第４のアーム部材も間隙を隔てて配置されているＭＲＩコイル組立体。
【請求項１８】  請求項９に記載のＭＲＩコイル組立体であって，前記第１と第２のアーム部材は間隙を隔てて配置され，前記第３，第４のアーム部材も間隙を隔てて配置されているＭＲＩコイル組立体。